(57)【要約】【課題】新たに音源プラグを用意する必要がなく、さらに電気信号線をぶら下げコードに固定できて揺れないこと。【解決手段】首ぶら下げ式イヤホン装置に電気信号回路を設け、その電気信号回路の一端にイヤホンを設けて、他端にソケットを設ける。このソケットは携帯式電子音楽再生装置のジャックに挿入できる。このジャックに左、右音源出力とマイクロホンの接続端子を含まれている。このため、イヤホンを使用するとき、携帯式電子音楽再生装置の音源ジャックに挿入する必要なく、携帯式電子音楽再生装置より出力する音声信号が聞こえる。このソケット上にぶら下げコードを設け、このぶら下げコードに電気信号線を設け，この電気信号線は固定クリップと滑りクリップによりぶら下げコードに結合して、安定させる。【選択図】図３Ａ
0003117739.tif 000002
【実用新案登録請求の範囲】
【請求項１】
一種の携帯式電子音楽再生装置と組合せて使用するイヤホン装置であって、
一つのソケット、一つのぶら下げコードと、一つの電気信号線と、一つの固定クリップと、一つの滑りクリップとを含み、
前記一つのソケットはそのソケット上にスロットを設け、そのスロットは携帯式電子音楽再生装置のソケット挿入に相応しく、そのスロットはUSBソケットの左・右音源およびマイクロホンの電気信号線に接続する接続端子に対応する端子を設けて、携帯式電子音楽再生装置の音声信号をスロットに伝送させ、
前記一つのぶら下げコードは、ソケットを通し、そのぶら下げコードの両端は互いに組合せた安全切り離しジョイントを設け、
前記一つの電気信号線は、ぶら下げコードを通し、その電気信号線の一端はジャックに接続し、他端はぶら下げコード外部にぶら下げて、この端にイヤホン出力端子を設け、
前記一つの固定クリップは、電気信号線をぶら下げコードに固定し、
前記一つの滑りクリップは、電気信号線の位置を調節でき、
使用するとき、電気信号線は滑りクリップによりその所在位置を調節して、首にぶら下げて、携帯式電子音楽再生装置のソケットをスロットに挿入したとき、滑りクリップを固定クリップを離れた位置より、固定クリップの所在位置に移動させ、ぶら下げコードから電気信号線を切り離して、イヤホン出力端子を耳に装着でき、これにより、イヤホンはソケットに接続したスロットと携帯式電子音楽再生装置のソケットを接続して携帯式電子音楽再生装置の音源をイヤホン出力端子に出力することを特徴とする、
首ぶら下げ式イヤホン装置。
【考案の詳細な説明】
【技術分野】
【０００１】
本考案は一種の首ぶら下げ式イヤホン装置に関し、特に一種の携帯式電子音楽再生装置と組合せて使用するイヤホンに関わるもので、この首ぶら下げ式イヤホン装置は携帯式電子音楽再生装置ジャックの音源とマイクロホン端子を十分に利用できるため、イヤホンは新たに従来式のイヤホン・プラグ(DC PLUG)を使用する必要がなく、音楽を聞くほか、イヤホンに接続した電気信号線を固定でき、コードはふらふらに揺れない首ぶら下げ式イヤホン装置に関するものである。
【背景技術】
【０００２】
図１、２に示すものは、一般公知のApple II ipod（登録商標） shuffleである。
その装置１００の一端に音源ジャック(DC JACK)１０２を設け、他端にUSBソケット１０１を設ける。そのUSBソケット１０１に９個の接続ピン(PIN)を設け、そのうち、４個の接続端子は一般のUSB電気信号の接続に定義されている(図２に示す)。そのソケット１０１をコンピュータ２００のUSBジャック２０１に挿入して、データ伝送できる。残り５つつの接続端子は外部の左・右音源とマイクロホン電気信号接続(図２に示す)に定義されている。これにより、利用者はその首ぶら下げ式イヤホン装置で音楽を聴くときイヤホン・ジャック(DC PLUG)１０４をApple II ipod shuffle装置１００の音源ジャック(DC JACK)１０２に挿入してから、ぶら下げコード１２０上の蓋１１０をソケット１０１上にかぶせておき、ソケット１０１の破損またはゴミ混入による短絡を避ける。さらに、ぶら下げコード１２０と装置１００を結合させて、その装置を胸の前部に掛けることができる。
【考案の開示】
【考案が解決しようとする課題】
【０００３】
しかしながら、使用上につぎの欠点がある。
（１）首ぶら下げ式イヤホン装置電気信号線の一端は音源ジャック(DC JACK)１０２に接続する必要があるため、ぶら下げコード１２０と結合できない。このため、イヤホンが耳に装着するまで、コードがふらつくため、利用者に不便を感じさせる。
（２）そのぶら下げコード１２０に安全対策がなされていない。Apple II ipod shuffleは外力により、引っ張られたとき、利用者はApple II ipod shuffleをすぐに取り出さなければ、本人はけがまたはその他不慮の事故が発生する恐れがある。
【課題を解決するための手段】
【０００４】
本考案の一つの目的は、一種の首ぶら下げ式イヤホン装置を提供するもので、携帯式電子音楽再生装置に組合せて使用するイヤホン。そのぶら下げコードに接続ジャックを設け、そのジャックに内側に引き込むUSBスロットを設け、そのスロットは携帯式電子音楽再生装置のUSBジャックの挿入に適し、そのぶら下げコードに電気信号線を内部に設ける。その電気信号線は一つの固定クリップを通してぶら下げコードのそばに垂れ込み、その電気信号線上に滑りクリップを設け、その滑りクリップの他端はぶら下げコードに嵌め込んでおく、電気信号線は滑りクリップにより所在位置を変更できる。利用者は首にぶら下げて、ソケットを携帯式電子音楽再生装置ジャックに挿入したとき、滑りクリップを固定クリップから離れておく、電気信号線をぶら下げコードを離しておき、イヤホン出力端子を耳に装着できる。これにより、イヤホンはソケットのスロットと携帯式電子音楽再生装置のソケットに接続することにより、携帯式電子音楽再生装置の音源をイヤホンの出力端に出力でき、新たに音源プラグ(DC PLUG)を用意する必要がない。さらに、固定クリップと滑りクリップとの組合せにより、電気信号線をぶら下げコードに固定でき、ふらふらに揺れない。
【０００５】
本考案のもう一つの目的は、一種の首ぶら下げ式イヤホン装置を提供するもので、そのぶら下げコードの両端にそれぞれ組合せた安全切り離しジョイントを設け、使用するとき、ソケットは外部より無理に引っ張られたとき、この安全切り離しジョイントはぶら下げコードを利用者の身体から切り離しておく、利用者が引っ張られるかまたは絡まることを避けて、危険性を防止する。
【考案の効果】
【０００６】
本考案は前述した公知技術の欠点を改良することができる。
【考案を実施するための最良の形態】
【０００７】
本考案の目的、形状、構造、装置、特徴及びその効果をさらに認識と理解を図るため、以下の通り実施例と図式を合わせて、その詳細を説明する。
【実施例】
【０００８】
本考案は一種の首掛け式イヤホン装置に関わるもので、図３に示すとおり、一種の携帯式電子音楽再生装置と組合せて使用する装置である。そのうち、携帯式電子音楽再生装置１００は、本考案においてApple II ipod shuffleを用いる。しかし、この種の技術を熟知する者は、同様または類似の携帯式電子音楽再生装置１００に代わることができる；その携帯式電子音楽再生装置１００の一端に音源ジャック(DC JACK)１０２を設け、他端にUSBソケット１０１を設ける。そのUSBソケット１０１に９この接続ピン(PIN)を設け、そのうち、４個の接続ピン(PIN)は一般のUSB電気信号線の接続に提供するものである。さらに、５つの接続ピン(PIN)は外部の左・右音源出力とマイクロホンの電気信号接続用である。さらに、そのソケット１０１の両側に向かい合わせた溝１０３を設ける。
【０００９】
そのイヤホンにソケット１０を設け、ソケット１０に内側に引き込むスロット１１を設け、その，スロット１１は携帯式電子音楽再生装置１００のUSBジャック１０１挿入に適し、スロット１１にUSBジャック１０１の左・右音源とマイクロホン電気信号接続するための５つの接続ピン(PIN)に合わせる端子１１１を設けて、携帯式電子音楽再生装置１００に保存された音楽はジャック１０１により、イヤホンに伝送できる。さらに、スロット１１の両側はそれぞれに突起体１２を設け、これらの突起体１２はジャック１０１の溝１０３と組合せる。これらの突起体１２とソケット１０接続する端にバネ(図示していない)を設けて、ジャック１０１をスロット１１に挿入するとき、突起体１２と溝１０３との組合せにより、緊密に結合させ、抜けにくい。
【００１０】
さらに，ソケット１０上にぶら下げコード１３を設け、ぶら下げコード１３の両端は、互い組合せる安全切り離しジョイント１４を設ける。本実施例において、互いに噛み合わせる噛み合わせ部と溝を設ける。使用するとき、ソケット１０は外力により引っ張られたとき、安全切り離しジョイント１４により、ぶら下げコード１３を利用者の身体から切り離すことができ、引っ張られ、または絡まれることを避けることにより、利用者の危険性を軽減できる。
【００１１】
また、そのぶら下げコード１３内部に有電気信号線１６を通しておく，電気信号線１６はスロット１１の端子(PIN)１１１に接続し、電気信号線１６は固定クリップ１５を通した後、ぶら下げコード１３のそば(図３Ｂに示す)ぶら下げる。さらに、電気信号線１６の他端にイヤホン出力端子１８を設け、イヤホン出力端子１８と電気信号線１６との接続場所に滑りクリップ１７を設け、滑りクリップ１７の他端はぶら下げコード１３に嵌め込んでおく(図５に示す)か、またはぶら下げコード１３と連結する(図４に示す)。
【００１２】
使用するときは、図４、５に示すとおり、ぶら下げコード１３を首にぶら下げて、ソケット１０を携帯式電子音楽再生装置１００に差し込んだ後、滑りクリップ１７は固定クリップ１５の離れた位置より、固定クリップ１５の所在場所に移動して、電気信号線１６をぶら下げコード１３から切り離す、イヤホン出力端子１８は耳に装着できる。これにより、イヤホンはソケット１０のスロット１１と携帯式電子音楽再生装置１００ジャック１０１に挿入すれば、携帯式電子音楽再生装置１００の音源は新たに音源プラグ(DC PLUG)１０４を用意する必要がなく、イヤホン出力端子１８に入力できる。さらに、固定クリップ１５と滑りクリップ１７との組合せにより、電気信号線１６をぶら下げコード１３に固定でき、ふらふらしない。
【００１３】
前述の好ましい実施例の説明により本考案の設計は首ぶら下げ式イヤホン装置の効果を向上できるほか、公知技術の欠点を改良し、特殊な効果がある。
【００１４】
ただし、以上に説明は本考案の好ましい実施例であり、本考案の実用新案登録請求の範囲に制限を加えるものではなく、均等な変化や修飾も本考案に含まれるものである。
【図面の簡単な説明】
【００１５】
【図１】先行装置の概略図である。
【図２】公知の装置と組合せた携帯式電子音楽再生装置をコンピュータ装置に接続したときの概略図である。
【図３Ａ】本考案装置と携帯式電子音楽再生装置と組合せた立体概略図である。
【図３Ｂ】本考案の固定クリップを拡大した概略図である。
【図４】本考案装置と携帯式電子音楽再生装置と組合せた概略図である。
【図５】滑りクリップの拡大動作概略図入りの本考案実施するときの概略図である。
【符号の説明】
【００１６】
１０・・・ソケット
１１・・・スロット
１１１・・端子
１２・・・突起物
１３・・・ぶら下げコード
１４・・・安全切り離しジョイント
１５・・・固定クリップ
１６・・・電気信号線
１７・・・滑りクリップ
１８・・・イヤホン出力端子
１００・・携帯式電子音楽再生装置
１０１・・ジャック
１０２・・音源ジャック(DC JACK)
１０３・・溝
【図１】
0003117739.tif 000003
【図２】
0003117739.tif 000004
【図３Ａ】
0003117739.tif 000005
【図３Ｂ】
0003117739.tif 000006
【図４】
0003117739.tif 000007
【図５】
0003117739.tif 000008